(57)【要約】【課題】可動入賞装置内の遊技球の入賞先に可動入賞装置外の遊技領域を流下する遊技球により影響を与えることができるパチンコ機を提供すること。【解決手段】可動入賞装置50が、遊技領域31と仕切られた内部領域52を形成している枠部51と、この枠部51に設けられた遊技球の入口53と、この入口53を開閉させる可動片である羽根54と、内部領域52内に設けられたＶ入賞口56およびハズレ口57とを有し、Ｖ入賞口56への遊技球の入賞を契機に通常の遊技状態よりも有利な遊技状態が遊技者に提供される。遊技領域31と内部領域52との間には電磁石70の鉄心72の一端が遊技領域31に臨んで位置し他端が内部領域52に臨んで位置する。鉄心72の内部領域52側の端部に遊技球B1〜B4が連なって吸着された状態で、鉄心72の遊技領域31側の端部に別の遊技球B0が吸着すると、遊技球B4はＶ入賞口56に向かって放たれる。【選択図】図７−１
2011072653.tif 000002
【特許請求の範囲】
【請求項１】
前面に遊技球を流下させる遊技領域を形成している遊技盤と、この遊技盤に設けられた可動入賞装置とを備え、
前記可動入賞装置は、前記遊技領域と仕切られた内部領域を形成している枠部と、この枠部に設けられて前記遊技領域から前記内部領域に遊技球を導く入口と、この入口を開閉させる可動片と、前記内部領域内に設けられたＶ入賞口と、前記内部領域内に設けられたハズレ口とを有し、前記Ｖ入賞口への遊技球の入賞を契機に通常の遊技状態よりも有利な遊技状態を遊技者に提供するパチンコ機において、
一端が前記遊技領域に臨んで位置し他端が前記内部領域に臨んで位置する磁石をさらに備え、
前記内部領域において前記磁石の他端に複数個の遊技球が連なって吸着された状態で、前記遊技領域において前記磁石の一端に前記複数個の遊技球とは別の遊技球が吸着すると、前記磁石の他端に吸着されていた前記複数個の遊技球のうち前記磁石から最も離れて位置する遊技球は前記Ｖ入賞口に向かって放たれる
ことを特徴とするパチンコ機。
【請求項２】
前面に遊技球を流下させる遊技領域を形成している遊技盤と、この遊技盤に設けられた可動入賞装置とを備え、
前記可動入賞装置は、前記遊技領域と仕切られた内部領域を形成している枠部と、この枠部に設けられて前記遊技領域から前記内部領域に遊技球を導く入口と、この入口を開閉させる可動片と、前記内部領域内に設けられたＶ入賞口と、前記内部領域内に設けられたハズレ口とを有し、前記Ｖ入賞口への遊技球の入賞を契機に通常の遊技状態よりも有利な遊技状態を遊技者に提供するパチンコ機において、
一端が前記遊技領域に臨んで位置した磁石と、この磁石の他端に接触した状態で前記内部領域に臨んで位置する単体または複数個が連なった状態の磁性部材とをさらに備え、
前記内部領域において前記磁性部材に遊技球が吸着された状態で、前記遊技領域において前記磁石に別の遊技球が吸着すると、前記磁石の他端に吸着されていた遊技球は前記Ｖ入賞口に向かって放たれる
ことを特徴とするパチンコ機。
【請求項３】
請求項１または２に記載のパチンコ機において、
前記磁石が電磁石であり、この電磁石の磁力を制御する電磁石制御手段が設けられ、この電磁石制御手段は、所定時間だけ電磁石を励磁する
ことを特徴とするパチンコ機。
【発明の詳細な説明】
【技術分野】
【０００１】
本発明は遊技盤に設けられた可動入賞装置を有するパチンコ機であって、その可動入賞装置が可動片（いわゆる羽根）の作動により遊技球の入口を開放し、その入口から可動入賞装置内に入った遊技球を、可動入賞装置内に設けられたＶ入賞口かハズレ口かに導くパチンコ機に関する。
【背景技術】
【０００２】
この種のパチンコ機は羽根モノといわれている。羽根モノでは、可動入賞装置内に入った遊技球は、Ｖ入賞口かハズレ口かに入賞する。遊技球がハズレ口に入れば数個の賞球が発生し、Ｖ入賞口に入賞すればパチンコ機は大当り遊技状態に移行する。大当り遊技状態とは、Ｖ入賞口への遊技球の入賞を契機に通常の遊技状態よりも有利な遊技状態であり、例えば、可動片が所定時間開閉を繰り返す状態である。この大当り状態では、遊技球が可動入賞装置の入口に入りやすくなるので、遊技者は多くの賞球を獲得することが可能になる。
【先行技術文献】
【特許文献】
【０００３】
【特許文献１】特開２００８−１９４３８７号公報（段落００１０〜００１７）
【発明の概要】
【発明が解決しようとする課題】
【０００４】
前述した従来のパチンコ機での遊技おいては、遊技者は可動入賞装置内に遊技球を入れた後、より多くの賞球を得たいがために遊技球がＶ入賞口に入賞するのを願いながら、遊技球の行方を見詰めることしかできなかった。
【０００５】
本発明は前述の事情を考慮してなされたものであり、その目的は、可動入賞装置内の遊技球の入賞先に、可動入賞装置外の遊技領域を流下する遊技球により影響を与えることができるパチンコ機を提供することにある。
【課題を解決するための手段】
【０００６】
前述の目的を達成するために本発明に係るパチンコ機は次のように構成されている。
【０００７】
〔１〕  本発明に係るパチンコ機は、前面に遊技球を流下させる遊技領域を形成している遊技盤と、この遊技盤に設けられた可動入賞装置とを備え、前記可動入賞装置は、前記遊技領域と仕切られた内部領域を形成している枠部と、この枠部に設けられて前記遊技領域から前記内部領域に遊技球を導く入口と、この入口を開閉させる可動片と、前記内部領域内に設けられたＶ入賞口と、前記内部領域内に設けられたハズレ口とを有し、前記Ｖ入賞口への遊技球の入賞を契機に通常の遊技状態よりも有利な遊技状態を遊技者に提供するパチンコ機において、一端が前記遊技領域に臨んで位置し他端が前記内部領域に臨んで位置する磁石をさらに備え、前記内部領域において前記磁石の他端に複数個の遊技球が連なって吸着された状態で、前記遊技領域において前記磁石の一端に前記複数個の遊技球とは別の遊技球が吸着すると、前記磁石の他端に吸着されていた前記複数個の遊技球のうち前記磁石から最も離れて位置する遊技球は前記Ｖ入賞口に向かって放たれることを特徴とする。
【０００８】
この「〔１〕」に記載のパチンコ機において、遊技球は磁性体であるので、可動入賞装置の内部領域に入った遊技球は、磁石の内部領域側の端部（他端）に吸着されることがある。磁石の内部領域側の端部に遊技球が複数個連なって吸着された状態で、磁石の遊技領域側の端部（一端）にそれらの遊技球とは別の遊技球が吸着されると、連なった遊技球のうち磁石から最も離れて位置する遊技球は、遊技領域側での磁石への別の遊技球の吸着時の衝撃を磁石側の遊技球から伝達されることによって、Ｖ入賞口に向かって放たれる。したがって、磁石の内部領域側の端部に遊技球が連なって吸着された状態になった場合、遊技者は磁石の遊技領域側の端部を狙って遊技領域に遊技球を打ち出しその端部に遊技球を吸着させることによって、すなわち可動入賞装置外の遊技領域を流下する遊技球によって、可動入賞装置内（内部領域）の遊技球の入賞先に影響を与えることができる。
【０００９】
〔２〕  本発明に係るパチンコ機は、前面に遊技球を流下させる遊技領域を形成している遊技盤と、この遊技盤に設けられた可動入賞装置とを備え、前記可動入賞装置は、前記遊技領域と仕切られた内部領域を形成している枠部と、この枠部に設けられて前記遊技領域から前記内部領域に遊技球を導く入口と、この入口を開閉させる可動片と、前記内部領域内に設けられたＶ入賞口と、前記内部領域内に設けられたハズレ口とを有し、前記Ｖ入賞口への遊技球の入賞を契機に通常の遊技状態よりも有利な遊技状態を遊技者に提供するパチンコ機において、一端が前記遊技領域に臨んで位置した磁石と、この磁石の他端に接触した状態で前記内部領域に臨んで位置する単体または複数個が連なった状態の磁性部材とをさらに備え、前記内部領域において前記磁性部材に遊技球が吸着された状態で、前記遊技領域において前記磁石に別の遊技球が吸着すると、前記磁石の他端に吸着されていた遊技球は前記Ｖ入賞口に向かって放たれることを特徴とする。
【００１０】
この「〔２〕」に記載のパチンコ機において、磁性部材は磁石により磁化されているため、可動入賞装置の内部領域に入った遊技球は、磁性部材に吸着されることがある。この状態で磁石の遊技領域側の端部（一端）に別の遊技球が吸着されると、磁性部材に吸着されていた遊技球は、遊技領域側での磁石への別の遊技球の吸着時の衝撃を磁性部材から伝達されることによって、Ｖ入賞口に向かって放たれる。したがって、内部領域側において磁性部材に遊技球が吸着された状態になった場合、遊技者は磁石の遊技領域側の端部を狙って遊技領域に遊技球を打ち出しその端部に遊技球を吸着させることによって、すなわち可動入賞装置外の遊技領域を流下する遊技球によって、可動入賞装置内（内部領域）の遊技球の入賞先に影響を与えることができる。
【００１１】
〔３〕  本発明に係るパチンコ機は「〔１〕」または「〔２〕」に記載のパチンコ機において、前記磁石が電磁石であり、この電磁石の磁力を制御する電磁石制御手段が設けられ、この電磁石制御手段は、所定時間だけ電磁石を励磁することを特徴とする。
【００１２】
この「〔３〕」に記載のパチンコ機によれば、電磁石の励磁を所定時間に限っているので、電磁石に遊技球が吸着された状態が放置されることを防止できる。
【発明の効果】
【００１３】
本発明に係るパチンコ機によれば、前述のように可動入賞装置内の遊技球の入賞先に、可動入賞装置外の遊技領域を流下する遊技球により影響を与えることができる。したがって、遊技者にパチンコ遊技の新たな面白みを提供できる。
【図面の簡単な説明】
【００１４】
【図１】本発明の第１実施形態に係るパチンコ機の外観斜視図である。
【図２】図１に示したガラス扉を開き、かつ、ガラス扉本体の開口部からガラス窓を離反させた状態の斜視図である。
【図３】図１に示したパチンコ機に備えられた遊技盤の前面図である。
【図４】図３に示した可動入賞装置の拡大前面図である。
【図５】図４のＶ−Ｖ断面図である。
【図６】図３に示した遊技盤の制御に係る構成を示すブロック図である。
【図７−１】図４に示した可動入賞装置内でＶ入賞口に入賞する際の遊技球の挙動の例を示す図である。
【図７−２】図７−１に示した遊技球の挙動例を上方から見た様子を示す図である。
【図８−１】図４に示した可動入賞装置内でＶ入賞口に入賞する際の遊技球の挙動例であって図７−１とは別の例を示す図である。
【図８−２】図８−１に示した遊技球の挙動例を上方から見た様子を示す図である。
【図９−１】図４に示した可動入賞装置内でハズレ口に入賞する際の遊技球の挙動例を示す図である。
【図９−２】図９−１に示した遊技球の挙動例を上方から見た様子を示す図である。
【図１０】図４に示した可動入賞装置内でハズレ口に入賞する際の遊技球の挙動例であって図９−１とは別の例を示す図である。
【図１１】図４に示した可動入賞装置内で電磁石に吸着されて留まった状態の遊技球を示す図である。
【図１２】本発明の第２実施形態に係るパチンコ機の可動入賞装置内でＶ入賞口に入賞する際の遊技球の挙動例を示す図である。
【発明を実施するための形態】
【００１５】
［第１実施形態］
本発明の第１実施形態に係るパチンコ機の構成ついて図１〜図６を用いて説明する。ここでは、パチンコ機の左右方向を遊技者からパチンコ機を見た場合における、すなわち前面視におけるパチンコ機の左右方向として説明する。
【００１６】
図１に示すように、本実施形態に係るパチンコ機は、遊技場の島設備に設置される縦長の矩形の機枠１と、この機枠１に開き戸状に開閉自在に取り付けられた前面枠２と、この前面枠２の内側に収容された遊技盤３（図２，図３に示す）と、前面枠２の前面に開き戸状に開閉自在に取り付けられたガラス扉４と、前面枠２の下側に開閉自在に取り付けられ、遊技球を収容する受皿５を有する前面ボード６と、前面ボード６に取り付けられ、遊技球の発射装置（図示してない）に対し遊技球の発射強度を指令するために操作されるハンドル７とを備えている。図２に示すように、ガラス扉４は、中央に大きく開口部８が形成された本体９と、この本体９の背面に開き戸状に回動自在に設けられ開口部８を後方から塞ぐガラス窓１０とを有する。
【００１７】
遊技盤３は、その前面に遊技球を流下させる遊技領域３１を形成している。遊技領域３１は、発射された遊技球を滑走させるガイドレール３２と遊技球規制レール３３とによって略円形状に形成された領域である。この遊技領域３１の略中央には、可動入賞装置５０が設けられている。この可動入賞装置５０は、遊技領域３１と仕切られた内部領域５２を形成している枠部５１と、この枠部５１の左右両側部に設けられて可動入賞装置５０外の遊技領域３１から内部領域５２に遊技球を導く入口５３と、これらの入口５３を開閉させる可動片である羽根５４と、内部領域５２に設けられたＶ入賞口５６と、内部領域５２に設けられたハズレ口５７とを有する。
【００１８】
この可動入賞装置５０の左下方、真下、右下方には、羽根５４を開放する契機を生じさせるための左始動口８１、中央始動口８２、右始動口８３がそれぞれ設けられている。
【００１９】
中央始動口８２よりも下方には、大入賞口装置４０が設けられている。この大入賞口装置４０よりも下方であって、遊技領域３１の中央最下部には、アウト口３４が設けられている。遊技領域３１内には、可動入賞装置５０、左始動口８１、中央始動口８２、右始動口８３、大入賞口装置４０、アウト口３４の他に、遊技釘、羽根車等が設けられているが、それらの図示は省略した。
【００２０】
遊技の際、遊技者は前出のガラス窓１０を通して遊技領域３１を見ながらハンドル７を操作し、遊技領域３１内に遊技球を発射させる。遊技領域３１内に発射された遊技球は、遊技釘、羽根車、可動入賞装置５０の枠部５１等の構造物に誘導されながら遊技領域３１内を流下し、左始動口８１、中央始動口８２、右始動口８３、可動入賞装置５０、大入賞口装置４０のいずれかに入賞するか、いずれにも入賞せずにアウト口３４から回収されることになる。
【００２１】
左始動口８１は、軸線が盤面に略直交した姿勢で盤面に固定された略円筒形のカバー部材８１ａの上部中央に設けられており、上方に向かって開口している。中央始動口８２も左始動口８１のカバー部材８１ａと同様のカバー部材８２ａの上部中央に設けられており、上方に向かって開口している。右始動口８３も左始動口８１のカバー部材８１ａと同様のカバー部材８３ａの上部中央に設けられており、上方に向かって開口している。
【００２２】
大入賞口装置４０は、左右方向に長く形成された大入賞口４１を可動板４２により開閉するものである。その可動板４２は、大入賞口４１を塞いだ状態から、下端部側の軸を中心に上端部が前方斜め下方に移動するよう回動可能に設けられている。可動板４２の上端部が前方斜め下方に移動した状態は、上方から流下してきた遊技球を受け止めて大入賞口４１に導く受入状態である。可動板４２が大入賞口４１を塞いだ状態は、大入賞口４１への遊技球の入賞を拒否する拒否状態である。可動板４２はスプリングリターンタイプのソレノイド（図示してない）により駆動される。可動板４２の初期状態は、ソレノイドのリターンスプリングにより拒否状態に規定されている。ソレノイドが励磁されて作動すると可動板４２の状態は拒否状態から受入状態に変化する。ソレノイドの励磁が解かれると可動板４２の状態はリターンスプリングによる可動鉄心の復帰に伴って受入状態から拒否状態に戻る。このように大入賞口装置４０は、その駆動源であるソレノイドが制御されることによって、拒否状態および受入状態に選択的に変化する。
【００２３】
図４に示すように、可動入賞装置５０は、前述のように入口５３が形成された枠部５１と、その入口５３を開閉する羽根５４とを有する。この羽根５４は、盤面に略直交する軸を中心に矢印Ｋ方向に回動可能に設けられており、スプリングリターンタイプのソレノイド（図示してない）により駆動される。羽根５４の初期状態はソレノイドのリターンスプリングによって、入口５３を閉鎖して遊技球が入ることを拒否する拒否状態に規定されている。ソレノイドが励磁されて作動すると羽根５４の状態は拒否状態から、遊技球を受け止めて入口５３に導く受入状態に変化する。ソレノイドの励磁が解かれると羽根５４の状態はリターンスプリングによる可動鉄心の復帰に伴って受入状態から拒否状態に戻る。
【００２４】
枠部５１により形成されている内部領域５２には、ステージ６３が設けられている。このステージ６３は、右斜め手前に向かって下り勾配を成した斜面である。このステージ６３の右側方には、管部材５５が設けられている。この管部材５５の一端は、左斜め上方に向かって開口し、前出のＶ入賞口５６を成している。ステージ６３よりも右方の領域は、管部材５５が占める領域を除いて前出のハズレ口５７を成している。ステージ６３よりも前方の領域も、ハズレ口５７の一部である。なお、Ｖ入賞口５６は、前出の大入賞口４２の開放の契機を生じさせる始動口である。
【００２５】
ステージ６３の上方において、入口５３から内部領域５２の内方に向かって通路６１が延びている。通路６１の先には、前面視円形の回転体６０が設けられている。この回転体６０は、盤面に略直交する軸を中心に矢印Ｍ方向に回転可能に設けられており、遊技中、モータ（図示してない）により一定速度で回転駆動され続ける。回転体６０の前面には、十字状の壁部６０ａが前方向に突出して設けられ、これらにより扇状に仕切られた４つの凹部６０ｂが形成されている。回転体６０の左下には、ステージ６３よりも上方に位置した前面視円弧状の段差部６２が設けられている。つまり、可動入賞装置５０内において、入口５３から入った遊技球は、通路６１により回転体６０に導かれ、次に、回転体６０の４つの凹部６０ｂのいずれかを通じて段差部６２に落下し、次にこの段差部６２を流下してステージ６３に落下する。
【００２６】
段差部６２の下方には、可動入賞装置５０外の遊技領域３１と内部領域５２との間に亘って位置する電磁石７０が設けられている。この電磁石７０は、コイル７１と、このコイル７１に挿通された円柱状の鉄心７２とを有する。鉄心７２の一端は遊技領域３１に臨んで位置し、同他端は内部領域５２に臨んで位置する。図５に示すように、ステージ６３にはガイド溝６３ａが設けられている。このガイド溝６３ａは電磁石７０の他端側から右方向、すなわちＶ入賞口５６の方向に直線状に延びている。
【００２７】
図６に示すように、本実施形態に係るパチンコ機はさらに、左始動口検知センサ９１、中央始動口検知センサ９２、右始動口検知センサ９３、Ｖ入賞口検知センサ９４を備えている。左始動口検知センサ９１、中央始動口検知センサ９２、右始動口検知センサ９３はそれぞれ遊技球が通過したことを検知する磁気センサであり、左始動口８１が設けられたカバー部材８１ａ、中央始動口８２が設けられたカバー部材８２ａ、右始動口８３が設けられたカバー部材８３ａにそれぞれ内臓されている。Ｖ入賞口検知センサ９４はＶ入賞口５６を通過した遊技球を検知する磁気センサであり、大入賞口装置４０に設けられている。これら左始動口検知センサ９１、中央始動口検知センサ９２、右始動口検知センサ９３、Ｖ入賞口検知センサ９４のそれぞれが遊技球の通過に伴って出力する検知信号は、主制御装置１００に入力される。
【００２８】
その主制御装置１００は可動物制御装置１２０と電磁石制御装置１３０とに対し、指令信号を出力するものである。主制御装置１００、可動物制御装置１２０、電磁石制御装置１３０は、パチンコ機の背面側に設けられている。これら主制御装置１００、可動物制御装置１２０、電磁石制御装置１３０はそれぞれ、ＣＰＵ（Central Processing Unit）、制御プログラムおよびデータを格納するＲＯＭ（Read Only Memory）、ＣＰＵにより生成された処理情報の一時記憶および記憶した情報の削除を行うＲＡＭ（Random Access Memory）等を備えたものであり、ＲＯＭに記憶された制御プログラムおよびデータにより、パチンコ遊技に関する処理を実行するものである。
【００２９】
それら主制御装置１００、可動物制御装置１２０、電磁石制御装置１３０の詳細について説明する。
【００３０】
主制御装置１００は、左始動口検知センサ９１、中央始動口検知センサ９２、右始動口検知センサ９３のそれぞれからの検知信号に基づき、左始動口８１に遊技球が入賞したどうか、中央始動口８２に遊技球が入賞したどうか、右始動口８３に遊技球が入賞したどうかを判定する始動口入賞判定手段１０１を有する。さらに、羽根５４を入口５３を開放する方向に作動させること、すなわち可動入賞装置５０を遊技球の受入状態に変化させることを、始動口入賞判定手段１０１により遊技球が入賞したと判定されたタイミングで指令する羽根作動指令手段１０２を有する。
【００３１】
可動物制御装置１２０は主制御装置１００の羽根作動指令手段１０２からの指令に応じて、羽根５４の駆動源であるソレノイドを制御する羽根制御手段１２１を有する。この羽根制御手段１２１は、羽根作動指令手段１０２から可動入賞装置５０を遊技球の受入状態に変化させるよう指令を受けたときに、ソレノイドを所定時間（例えば１．２５秒）だけ作動させることを、すなわち可動入賞装置５０を所定時間（１．２５秒）だけ遊技球の受入状態にさせることを、１回、または２回行う。その指令を受けないときにはソレノイドを励磁せずに、可動入賞装置５０を遊技球の拒否状態に保持する。
【００３２】
主制御装置１００は、Ｖ入賞口検知センサ９４からの検知信号に基づき、Ｖ入賞口５６に遊技球が入賞したかどうかを判定するＶ入賞口入賞判定手段１０３と、可動板４２を作動させること、すなわち大入賞口装置４０を遊技球の受入状態に変化させることを指令する可動板作動指令手段１０４とを有する。可動板作動指令手段１０４による指令は、Ｖ入賞口入賞判定手段１０３により遊技球が入賞したと判定されたタイミングで行われる。
【００３３】
可動物制御装置１２０は、主制御装置１００の可動板作動指令手段１０４からの指令に応じて、可動板４２の駆動源であるソレノイドを制御する可動板制御手段１２２を有する。この可動板制御手段１２２は、可動板作動指令手段１０４から大入賞口装置４０を遊技球の受入状態に変化させるよう指令を受けたときに、ソレノイドを所定回数励磁して大入賞口４１を所定回数開放する。その指令を受けないときにはソレノイドを作動させずに大入賞口装置４０を拒否状態に保持する。大入賞口装置４０が所定回数開放される状態は、通常の遊技状態よりも有利な遊技状態としての大当り遊技状態である。この大当り遊技状態において、遊技者は大入賞口４１に遊技球を入賞させる機会、すなわち、多くの賞球を獲得する機会を得られる。なお、大入賞口４１の所定回数の開放は、可動板４２が開いて３０秒経過すると、または可動板４２が開いて大入賞口４１に遊技球が１０個入賞すると可動板４２が閉じるという態様の動作を、大入賞口４１の内部の特別な領域に遊技球が入賞することを条件に所定回数行うことをいう。
【００３４】
主制御装置１００は、左始動口８１、中央始動口８２、右始動口８３のいずれか１つに遊技球が入賞したことを契機に、コイル７１への一定電流の供給開始と、その電流の供給時間とを電磁石制御装置１３０に指令する発磁指令手段１０５を有する。この発磁指令手段１０５からの指令に基づいて電磁石制御装置１３０はコイル７１に対し電流を供給する、すなわち、電磁石７０を励磁するものである。
【００３５】
主制御装置１００の発磁指令手段１０５は電磁石制御装置１３０に対し、コイル７１への電流の供給時間として、予め設定された第１供給時間と第２供給時間のいずれか一方を選択して指令する。第１供給時間は例えば１０秒であり、主制御装置１００の始動口入賞判定手段１０１により左始動口８１への遊技球と判定された場合、および、右始動口８３への遊技球の入賞と判定された場合に選択されるものである。第２供給時間は第１供給時間よりも長い例えば２０秒であり、中央始動口８２への遊技球の入賞と判定された場合に選択されるものである。
【００３６】
このように構成された本実施形態に係るパチンコ機は次のように動作する。
【００３７】
遊技領域３１に発射された遊技球が左始動口８１または右始動口８３に入賞した場合、左始動口検知センサ９１または右始動口検知センサ９３から主制御装置１００に検知信号が出力され、この検知信号を主制御装置１００が入力する。これに伴い、主制御装置１００の始動口入賞判定手段１０１は、遊技球が左始動口８１または右始動口８３に入賞したと判定する。この判定がなされたタイミングで、主制御装置１００の羽根作動指令手段１０２は可動物制御装置１２０に対して、ソレノイドの１．２５秒の作動を１回だけ行うよう指令する。この指令を受けた可動物制御装置１２０では、羽根制御手段１２１が、羽根５４の駆動源であるソレノイドの１．２５秒間の励磁を１回だけ行う。これにより、可動入賞装置５０の入口５３の約１．２５秒間の開放が１回だけ行われ、入口５３が開放されている間、遊技者は遊技球を可動入賞装置５０の内部領域５２に入れることができる。
【００３８】
また、遊技領域３１に発射された遊技球が中央始動口８２に入賞した場合、中央始動口検知センサ９２から主制御装置１００に検知信号が出力され、この検知信号を主制御装置１００が入力する。これに伴い、主制御装置１００の始動口入賞判定手段１０１は、遊技球が中央始動口８２に入賞したと判定する。この判定がなされたタイミングで、主制御装置１００の羽根作動指令手段１０２は可動物制御装置１２０に対して、ソレノイドの１．２５秒の作動を２回だけ行うよう指令する。この指令を受けた可動物制御装置１２０では、羽根制御手段１２１が、羽根５４の駆動源であるソレノイドの１．２５秒間の励磁を２回行う。これにより、可動入賞装置５０の入口５３の約１．２５秒間開放が２回だけ行われ、入口５３が開放されている間、遊技者は遊技球を可動入賞装置５０の内部領域５２に入れることができる。
【００３９】
遊技球が左始動口８１、中央始動口８２、右始動口８３のいずれに入賞した場合も、その入賞と判定されたタイミングで、主制御装置１００の発磁指令手段１０５は電磁石制御装置１３０に対しコイル７１への電流の供給開始を指令するとともに、主制御装置１００の始動口入賞判定手段１０１により左始動口８１への遊技球の入賞と判定された場合、および、右始動口８３への遊技球の入賞と判定された場合に、コイル７１への電流の供給時間として第１供給時間（１０秒）を指令し、始動口入賞判定手段１０１により中央始動口８２への遊技球の入賞と判定された場合には、第２供給時間（２０秒）を指令する。電磁石制御装置１３０は発磁指令手段１０５からの指令に基づき、コイル７１に電流を供給する。このようにして電磁石７０は、可動入賞装置５０の入口５３が開放されたときに、磁力を発生させる。
【００４０】
可動入賞装置５０の内部領域５２では例えば次のように遊技球が挙動する。
【００４１】
可動入賞装置５０の入口５３から内部領域５２に入った遊技球は、通路６１、回転体６０、段差部６２を通じてステージ６３に落下する。電磁石７０が励磁されている場合、図７−１，図７−２に示すように、電磁石７０とガイド溝６３ａと協働により電磁石７０に３つの遊技球が左右方向に直線状に連なる、すなわち、３つの遊技球Ｂ１〜Ｂ３がガイド溝６３ａに嵌った状態で電磁石７０の鉄心７２に吸着されることがある。このように３つの遊技球Ｂ１〜Ｂ３が鉄心７２に吸着された状態で、遊技領域３１を流下していた別の遊技球Ｂ０が電磁石７０の鉄心７２に吸着されると、３つの遊技球Ｂ１〜Ｂ３のうちの最も電磁石７０から離れて位置する遊技球Ｂ３には遊技球Ｂ０の鉄心７２への吸着時の衝撃が遊技球Ｂ１〜Ｂ２を介して伝達され、これにより遊技球Ｂ３はＶ入賞口５６に向かって放たれる。このとき遊技球Ｂ３に与えられるＶ入賞口５６方向の勢いはＶ入賞口５６への到達に十分であり、遊技球Ｂ４はＶ入賞口５６に入賞する。
【００４２】
また、図８−１，図８−２に示すように、４つの遊技球Ｂ１〜Ｂ４がガイド溝６３ａに嵌った状態で連なり電磁石７０の鉄心７２に吸着されることもある。このように４つの遊技球Ｂ１〜Ｂ４が鉄心７２に吸着された状態で、遊技領域３１を流下していた別の遊技球Ｂ０が電磁石７０の鉄心７２に吸着されると、４つの遊技球Ｂ１〜Ｂ４のうちの最も電磁石７０から離れて位置する遊技球Ｂ４には遊技球Ｂ０の鉄心７２への吸着時の衝撃が遊技球Ｂ１〜Ｂ３を介して伝達され、これにより遊技球Ｂ３はＶ入賞口５６に向かって放たれる。このとき遊技球Ｂ４に与えられるＶ入賞口５６方向の勢いは、図７−１に示した場合よりも大きく、したがって、この場合も遊技球Ｂ４はＶ入賞口５６に入賞する。
【００４３】
４つの遊技球Ｂ１〜Ｂ４が連なって鉄心７２に吸着される場合、遊技球Ｂ４に作用する磁力は小さい。このため、遊技球Ｂ４はガイド溝６３ａに嵌って静止するよりも、ステージ６３の傾斜に従って転がり、図９−２に示すように遊技球Ｂ３に吸着されながらもガイド溝６３ａを通過しやすい。この場合、遊技領域３１側で別の遊技球Ｂ０が電磁石７０の鉄心７２に吸着されると、遊技球Ｂ４は遊技球Ｂ３から放たれるものの、図９−１，図９−２を参照して分かるように、Ｖ入賞口５６の縁で弾かれてハズレ口５７に入賞したり、図示してないが管部材５５に接触することなく直接ハズレ口５７に入賞したりすることが、図８−１に示した場合よりも起こりやすい。
【００４４】
また、図１０に示すように、鉄心７２に連なって吸着されたのが遊技球Ｂ１，Ｂ２の２つだけの場合、遊技領域３１側で別の遊技球Ｂ０が電磁石７０の鉄心７２に吸着されたことに伴って遊技球Ｂ２はＶ入賞口５６に向かって放たれるものの、Ｖ入賞口５６方向の遊技球Ｂ２の勢いはＶ入賞口５６への到達に不十分であり、したがって遊技球Ｂ２はＶ入賞口５６に到達することなく、ハズレ口５７に入賞する。
【００４５】
また、図１１に示すように、鉄心７２に連なって吸着されたのが遊技球Ｂ１の１つだけの場合、遊技球Ｂ０の鉄心７２への吸着時の衝撃が鉄心７２から遊技球Ｂ１に伝達されても、その衝撃は遊技球Ｂ１が電磁石７０の磁力から開放されるには不十分であり、したがって遊技球Ｂ１は鉄心７２に吸着された状態に維持される。
【００４６】
これらの遊技球の挙動から分かるように、電磁石７０が励磁された状態では、電磁石７０の鉄心７２に３つ以上の遊技球がガイド溝６３ａに嵌って連なった状態で吸着されていれば、遊技者は遊技領域３１側で遊技球を鉄心７２に吸着させることによって、内部領域５２側で鉄心７２に吸着された遊技球をＶ入賞口５６に入賞させることができる。
【００４７】
そして、遊技球がＶ入賞口５６に入賞すると、Ｖ入賞口検知センサ９４から主制御装置１００に検知信号が出力され、この検知信号を主制御装置１００が入力する。これに伴い、主制御装置１００のＶ入賞口入賞判定手段１０３は、遊技球がＶ入賞口５６に入賞したと判定する。この判定がなされたタイミングで、主制御装置１００の可動板作動指令手段１０４は可動物制御装置１２０に対し、大入賞口装置４０を遊技球の受入状態に変化させるよう指令する。この指令を受けた可動物制御装置１２０では、可動板制御手段１２２が、ソレノイドを所定回数励磁して大入賞口４１を所定回数開放する。つまり、遊技状態は通常の遊技状態よりも有利な大当り遊技状態になり、遊技者は大入賞口４１に遊技球を入賞させる機会、すなわち、多くの賞球を獲得する機会を得られる。
【００４８】
第１実施形態に係るパチンコ機によれば次の効果を得られる。
【００４９】
第１実施形態に係るパチンコ機において、電磁石７０の鉄心７２の内部領域５２側の端部に遊技球が左右方向に連なって吸着された状態になった場合、遊技者は電磁石７０の遊技領域３１側の端部を狙って遊技領域３１に遊技球を打ち出しその端部に遊技球を吸着させることによって、すなわち可動入賞装置５０外の遊技領域３１を流下する遊技球によって、可動入賞装置５０内（内部領域５２）の遊技球の入賞先に影響を与えることができる。したがって、遊技者にパチンコ遊技の新たな面白みを提供できる。
【００５０】
第１実施形態に係るパチンコ機は、電磁石７０への電流の供給時間を所定時間、すなわち第１，第２供給時間に限っているので、電磁石７０に遊技球が吸着された状態が放置されることを防止できる。
【００５１】
前述の第１実施形態に係るパチンコ機においては、電磁石７０が用いられていたが、本発明における磁石は電磁石に限定されるものではなく、永久磁石であってもよい。この永久磁石を用いた場合、永久磁石から遊技球を開放する手段を設けなければ電磁石７０の遊技球が永久磁石に吸着された状態に放置されることになるが、可動入賞装置５０の内部領域５２の遊技球の入賞先に可動入賞装置５０外の遊技領域３１から影響を与えることはできる。
【００５２】
なお、本発明の特許請求の範囲外ではあるが、遊技領域とは仕切られた領域であってパチンコ遊技と関係ない別の遊技を行える領域、例えば磁性球体を転がして的に当てる的当ゲームを行える的当ゲーム領域を設け、遊技領域を流下する遊技球と磁石により的当ゲーム領域内の磁性球体を操作できるようにすることも考えられる。
【００５３】
［第２実施形態］
本発明の第２実施形態に係るパチンコ機について図１０を用いて説明する。
【００５４】
第２実施形態に係るパチンコ機は、磁性球体から成る磁性部材２０１，２０２を備えている。これら磁性部材２０１，２０２としては遊技に使用しない遊技球が用いられている。磁性部材２０１は鉄心７２の遊技領域３１側とは反対側の端部に接触して位置し、磁性部材２０２は磁性部材２０２に対し接触した状態で連なっているとともに、磁性部材２０１側とは反対側の個所で内部領域５２に臨んで位置する。これら磁性部材２０１，２０２は、段差面６２を形成している部材に覆われている。第２実施形態に係るパチンコ機は第１実施形態に係るパチンコ機に対し、それら磁性部材２０１，２０２を備える点で構成が相違しており、この点以外の第２実施形態に係るパチンコ機の構成は第１実施形態に係るパチンコ機と同様である。
【００５５】
このように構成された第２実施形態に係るパチンコ機では、磁性部材２０１，２０２が電磁石７０により磁化されると、図１０に示すように、可動入賞装置５０の内部領域５２に入った遊技球が、遊技球Ｂ１のようにガイド溝６３ａに嵌った状態で磁性部材２０２に吸着されることがある。この状態で遊技領域３１側において別の遊技球Ｂ０が電磁石７０の鉄心７２に吸着されると、磁性部材２０２に吸着されていた遊技球Ｂ１は、遊技領域３１側での鉄心７２への遊技球Ｂ０の吸着時の衝撃を磁性部材２０１，２０２を介して伝達され、Ｖ入賞口５６に向かって放たれる。このとき、磁性部材２０２から与えられるＶ入賞口５６方向の遊技球Ｂ１の勢いはＶ入賞口５６の到達に十分であり、したがって遊技球Ｂ１はＶ入賞口５６に入賞する。
【００５６】
第２実施形態に係るパチンコ機によれば次の効果を得られる。
【００５７】
第２実施形態に係るパチンコ機において、可動入賞装置５０の内部領域５２側において磁性部材２０２に遊技球が吸着された状態になった場合、遊技者は電磁石７０の鉄心７２の遊技領域３１側の端部を狙って遊技領域３１に遊技球を打ち出しその端部に遊技球を吸着させることによって、すなわち可動入賞装置５０外の遊技領域３１を流下する遊技球によって、可動入賞装置５０内（内部領域５２）の遊技球の入賞先に影響を与えることができる。したがって、遊技者にパチンコ遊技の新たな面白みを提供できる。
【符号の説明】
【００５８】
３  遊技盤
３１  遊技領域
４０  大入賞口装置
５０  可動入賞装置
５１  枠部
５２  内部領域
５３  入口
５４  羽根
５６  Ｖ入賞口
５７  ハズレ口
６３  ステージ
７０  電磁石
７１  コイル
７２  鉄心
８１  左始動口
８２  中央始動口
８３  右始動口
９１  左始動口検知センサ
９２  中央始動口検知センサ
９３  右始動口検知センサ
９４  Ｖ入賞口検知センサ
１００  主制御装置
１０１  始動口入賞判定手段
１０２  羽根作動指令手段
１０３  Ｖ入賞口入賞判定手段
１０４  可動板作動指令手段
１０５  発磁指令手段
１２０  可動物制御装置
１２１  羽根制御手段
１２２  可動板制御手段
１３０  電磁石制御装置
２０１，２０２  磁性部材
【図１】
2011072653.tif 000003
【図２】
2011072653.tif 000004
【図３】
2011072653.tif 000005
【図４】
2011072653.tif 000006
【図５】
2011072653.tif 000007
【図６】
2011072653.tif 000008
【図７−１】
2011072653.tif 000009
【図７−２】
2011072653.tif 000010
【図８−１】
2011072653.tif 000011
【図８−２】
2011072653.tif 000012
【図９−１】
2011072653.tif 000013
【図９−２】
2011072653.tif 000014
【図１０】
2011072653.tif 000015
【図１１】
2011072653.tif 000016
【図１２】
2011072653.tif 000017